(57)【要約】【課題】筐体側面にスピーカを配置した場合であっても、良好な音圧を確保する電子ペンを提供する。【解決手段】電子ペン１００の後端側に設けられたクリップ１０１に、クリップ１０１と筐体１０２との間の空間に連なる貫通孔を設け、筐体１０２の一部に設けられた音孔１０６とクリップ１０１に設けられた貫通孔とが向かい合うように配置する。また、筐体１０２とクリップ１０１との間であって、音孔１０６よりペン先側にリブ１０７を設け、リブ１０７が筐体１０２とクリップ１０１とに接続する。【選択図】図２
2012230466.tif 000002
【特許請求の範囲】
【請求項１】
筐体側面に設けられた音孔と、
前記音孔と向かい合う位置に貫通孔が形成されたクリップと、
前記クリップと前記筐体との間であって、前記音孔よりペン先側に設けられ、前記クリップと前記筐体とに接続する支持部と、
を具備する電子ペン。
【請求項２】
開口部にＵ字状の切れ込みが形成されたキャップを有する請求項１に記載の電子ペン。
【発明の詳細な説明】
【技術分野】
【０００１】
本発明は、スピーカ等を内蔵する電子ペンに関する。
【背景技術】
【０００２】
近年、紙に書いた情報をデジタル情報として管理する電子ペン（「デジタルペン」ともいう）が普及しつつある。電子ペンは、通常のペン先部に加えて、ＣＣＤ（Charge Coupled Device）カメラなどの小型カメラを内蔵している。利用者が電子ペンを用いて、所定のドットパターンが印刷された専用紙に文字や図を記述すると、電子ペンは筆圧を検出して、小型カメラによる撮像を開始し、電子ペンの移動に伴って小型カメラが専用紙のドットパターンを読み取る。
【０００３】
電子ペンにはプロセッサが内蔵されており、このプロセッサが小型カメラによって読み取られたドットパターンから専用紙上の座標を算出する。また、プロセッサは、算出された座標データとタイムスタンプとを関連付けてメモリに記憶する。メモリに記憶されたデータは、利用者の指示に従って、データ通信ユニットから端末装置へ転送される。
【０００４】
また、電子ペンにはスピーカまたはマイク、あるいはこれらの両方が内蔵されることがあり、良好な音圧を確保するため、電子ペンに音孔を設ける必要がある。
【０００５】
電子ペンに限らずとも、音孔を設ける技術として、筆記具兼用ポケットベルの技術が特許文献１に開示されている。特許文献１に開示の筆記具兼用ポケットベルは、スピーカをペン最後部に配置することにより、胸ポケットにクリップで狭持した際も、スピーカ音孔が露出し、良好な音圧を確保することができる。
【先行技術文献】
【特許文献】
【０００６】
【特許文献１】実開昭５９−１１５４７号公報
【発明の概要】
【発明が解決しようとする課題】
【０００７】
しかしながら、上述した特許文献１に開示の技術では、筐体側面にスピーカを配置した場合、利用者の手が音孔を塞ぐ可能性があり、また、クリップで胸ポケットなどを狭持する際にも音孔が塞がれる可能性があり、良好な音圧を確保することができないという問題がある。
【０００８】
本発明の目的は、筐体側面にスピーカを配置した場合であっても、良好な音圧を確保する電子ペンを提供することである。
【課題を解決するための手段】
【０００９】
本発明の電子ペンは、筐体側面に設けられた音孔と、前記音孔と向かい合う位置に貫通孔が形成されたクリップと、前記クリップと前記筐体との間であって、前記音孔よりペン先側に設けられ、前記クリップと前記筐体に接続する支持部と、を具備する構成を採る。
【発明の効果】
【００１０】
本発明によれば、筐体側面にスピーカを配置した場合であっても、良好な音圧を確保することができる。
【図面の簡単な説明】
【００１１】
【図１】本発明の一実施の形態に係る電子ペンの構成を示す図
【図２】図１に示した電子ペンの断面を示す図
【図３】本発明の一実施の形態に係る電子ペンの他の構成を示す図
【図４】図３に示した電子ペンの一部の断面を示す図
【発明を実施するための形態】
【００１２】
以下、本発明の実施の形態について、図面を参照して詳細に説明する。
【００１３】
（一実施の形態）
図１は、本発明の一実施の形態に係る電子ペン１００の構成を示す図である。電子ペン１００には、ペンの後端側にクリップ１０１が設けられており、クリップ１０１には、クリップ１０１と筐体１０２との間の空間に連なる貫通孔が形成されている。
【００１４】
また、図１に示す電子ペン１００には、ペン先近傍に図示せぬカメラ及び発光部が設けられ、これらを保護するキャップ１０３が用意されている。図１では、キャップ１０３を電子ペン１００の後端に嵌合した様子を示している。このキャップ１０３には、開口部にＵ字状の切れ込みが形成されており、電子ペン１００の後端に嵌合した際、キャップ１０３のＵ字状の切れ込みにクリップ１０１が位置する。
【００１５】
図２は、図１に示した電子ペン１００の断面を示す図である。図２において、電子ペン１００に内蔵された基板１０４には、スピーカ１０５が配設されており、スピーカ１０５に面する筐体１０２の一部に音孔１０６が設けられ、音孔１０６はクリップ１０１に設けられた貫通孔と向かい合うように位置する。これにより、筐体１０２に設けられた音孔１０６が手又はキャップによって直接塞がれることを防止することができる。また、特に、キャップ１０３には、上述したように、開口部にＵ字状の切れ込みが形成されているため、キャップ１０３をペン後端に嵌合した場合、Ｕ字状の切れ込みにクリップ１０１が位置し、音孔１０６がキャップ１０３によって塞がれることを防止することができる。
【００１６】
また、筐体１０２とクリップ１０１との間であって、筐体１０２に設けられた音孔１０６よりペン先側にリブ（支持部材）１０７が設けられ、リブ１０７が筐体１０２とクリップ１０１とに接続している。これにより、クリップ１０１で胸ポケットなどを狭持する際、音孔１０６が胸ポケットなどによって塞がれることを防止することができる。
【００１７】
このように、本実施の形態によれば、電子ペンの後端側に設けられたクリップに、クリップと筐体との間の空間に連なる貫通孔を設け、筐体の一部に設けられた音孔とクリップに設けられた貫通孔とが向かい合うように配置する。これにより、筐体に設けられた音孔が手又はキャップによって直接塞がれることを防止することができる。
【００１８】
また、本実施の形態によれば、筐体とクリップとの間であって、筐体に設けられた音孔よりペン先側にリブを設け、リブが筐体とクリップとに接続する。これにより、クリップで胸ポケットなどを狭持する際、音孔が胸ポケットなどによって塞がれることを防止することができる。これらの結果、良好な音圧を確保することができる。
【００１９】
なお、本実施の形態では、クリップが２箇所で電子ペンの筐体に支持されている場合について説明したが、本発明はこれに限らず、図３及び図４に示すように、クリップが１箇所で電子ペンの筐体に支持される構成でもよい。すなわち、クリップ１２１は、筐体１０２とクリップ１２１との間であって、筐体１０２に設けられた音孔１０６よりペン先側にリブ１２２が設けられ、リブ１２２が筐体１０２とクリップ１２１とに接続している。また、このリブ１２２は、クリップ１２１自体を筐体１０２に支持するものである。これにより、クリップで胸ポケットなどを狭持する際、音孔が胸ポケットなどによって塞がれることを防止することができる。
【産業上の利用可能性】
【００２０】
本発明にかかる電子ペンは、筐体側面にスピーカを配置した場合であっても、良好な音圧を確保するのに有用である。
【符号の説明】
【００２１】
１０１、１２１  クリップ
１０２  筐体
１０３  キャップ
１０４  基板
１０５  スピーカ
１０６  音孔
１０７、１２２  リブ
【図１】
2012230466.tif 000003
【図２】
2012230466.tif 000004
【図３】
2012230466.tif 000005
【図４】
2012230466.tif 000006